(57)【要約】【課題】  運転の快適性と安全性の両面を備えたステアリング制御装置を提供する。【解決手段】  トルクセンサ１０が出力する操舵トルクと電流指令部２０が出力する電流指令値の関係が異常であるか否かを判定する異常判定部６２と、車速情報出力部３が出力する車両の走行速度に基づいて猶予時間を選択する猶予時間選択部６１と、異常判定部６２と猶予時間選択部６１の出力に基づき、モータの駆動を禁止する信号を出力する禁止信号出力部６３とを有し、禁止信号出力部６３は、異常判定部６２の判定結果が異常となる時間が猶予時間選択部６１によって選択された猶予時間を越えた場合にモータの駆動を禁止する。【選択図】  図１
2014136525.tif 000002
【特許請求の範囲】
【請求項１】
車両に搭載された操舵装置の操舵トルクを検出するトルクセンサの出力から高周波成分を除去するフィルタ部と、
前記車両の走行速度と前記フィルタ部の出力に基づいて、電流指令値を出力する電流指令部と、
前記電流指令値に基づき、前記操舵装置の操舵を補助するモータの駆動を制御する駆動制御部と、
前記トルクセンサの出力、前記電流指令値、および前記車両の走行速度に基づき、前記モータの駆動を禁止する信号を前記駆動制御部に出力する駆動禁止部と、
を有するステアリング制御装置において、
前記駆動禁止部は、
前記トルクセンサの出力と前記電流指令値の関係が異常であるか否かを判定する異常判定部と、
前記車両の走行速度に基づいて猶予時間を選択する猶予時間選択部と、
前記異常判定部と前記猶予時間選択部の出力に基づき、前記モータの駆動を禁止する信号を前記駆動制御部に出力する禁止信号出力部と、
を有し、
前記禁止信号出力部は、前記異常判定部の判定結果が異常となる時間が前記猶予時間選択部によって選択された猶予時間を越えた場合に前記駆動制御部に前記電動モータの駆動を禁止する信号を出力する、
ことを特徴とするステアリング制御装置。
【請求項２】
前記猶予時間選択部は、前記車両の走行速度が所定値以上の場合、短い猶予時間を選択することを特徴とする請求項１に記載のステアリング制御装置。
【請求項３】
車両に搭載された操舵装置の操舵トルクを検出するトルクセンサの出力から高周波成分を除去するフィルタ部と、
前記車両の走行速度と前記フィルタ部の出力に基づいて、電流指令値を出力する電流指令部と、
前記電流指令値に基づき、前記操舵装置の操舵を補助するモータの駆動を制御する駆動制御部と、
前記トルクセンサの出力、前記電流指令値、および前記操舵装置の角速度に基づき、前記モータの駆動を禁止する信号を前記駆動制御部に出力する駆動禁止部と、
を有するステアリング制御装置において、
前記駆動禁止部は、
前記トルクセンサの出力と前記電流指令値の関係が異常であるか否かを判定する異常判定部と、
前記操舵装置の角速度に基づいて猶予時間を選択する猶予時間選択部と、
前記異常判定部と前記猶予時間選択部の出力に基づき、前記モータの駆動を禁止する信号を前記駆動制御部に出力する禁止信号出力部と、
を有し、
前記禁止信号出力部は、前記異常判定部の判定結果が異常となる時間が前記猶予時間選択部によって選択された猶予時間を越えた場合に前記駆動制御部に前記電動モータの駆動を禁止する信号を出力する、
ことを特徴とするステアリング制御装置。
【発明の詳細な説明】
【技術分野】
【０００１】
本発明は、ステアリング制御装置に関し、特に、ステアリングに与えられる操舵トルクを検出し、ステアリングを駆動するモータに流れる電流を制御するステアリング制御装置に関する。
【背景技術】
【０００２】
従来から、車の運転者によるステアリング系に与えられる操舵トルクを検出するトルクセンサと、高周波成分を除去するためのローパスフィルタとを備えた電動パワーステアリング制御装置が知られている。かかる電動パワーステアリング制御装置では、トルクセンサ及びローパスフィルタからの出力に基づいて、運転者による操舵トルクに対する操舵補助力を与える駆動モータの駆動電流を求める。
【０００３】
例えば、特許文献１では、操舵トルクの異常を検出した直後、電流指令値が急激に変化して車両が不安定となることを解消することを目的として電動パワーステアリング制御装置が開示されている。この電動パワーステアリング制御装置は、ステアリングの操舵トルクを検出するトルクセンサと、トルクセンサからの出力の高周波成分を除去するローパスフィルタと、ローパスフィルタからの出力に基づいて電流指令値を算出するトルク指令算出部などを備える。この電動パワーステアリング制御装置は、操舵トルクの異常を検出した場合に、ローパスフィルタの時定数を大きくする。
【０００４】
また、従来から、車両の運転者によるステアリング系に与えられる操舵トルクを検出するトルクセンサと車速を検出する車速センサに基づいて、電動パワーステアリング装置を駆動するモータに流れる電流を制御することが知られている。
【０００５】
かかる電動パワーステアリング装置では、運転者がハンドルを右に回しているにもかかわらず、モータが左回転を支援する方向に制御されていると、運転手の意思に反するため、運転者に違和感を感じさせる。このような異常が起こる理由として、操舵トルクに基づきモータを駆動する指令電流を演算するＣＰＵの異常が考えられる。かかる異常に対する対策として、トルクセンサの出力の方向と、指令電流の目標値の方向もしくはモータに流れる電流の向きとが一致しない場合に、モータの駆動を停止する技術が知られている。
【０００６】
例えば、特許文献２では、ダンピング制御等を行っている場合でも異常判定を高精度に行い、異常時には確実に電動機の駆動を禁止することを目的として電動パワーステアリング装置が開示されている。この電動パワーステアリング装置は、電動機を制御する制御手段と異常時に電動機の駆動を禁止する駆動禁止手段とを備える。駆動禁止手段は、操舵トルクの大きさおよび方向と電動機電流の大きさおよび方向とが所定の禁止条件を満たすか否かを判定し、所定の禁止条件を満たしている時間を積算し、積算時間が所定時間以上となった場合に、電動機の駆動を禁止する。
【０００７】
また、特許文献３では、ステアリングの不自然な挙動を防止することを目的として電動パワーステアリング装置が開示されている。この電動パワーステアリング装置は、操舵トルクとモータ電流の組み合わせの点座標を猶予時間設定マップに照合して猶予時間を決定する。そして、電動パワーステアリング装置は、決定された猶予時間に対応する領域に、点座標が猶予時間継続して存在したときにモータ駆動停止と判断し、駆動制御されるモータの駆動を停止する。
【０００８】
また、特許文献４では、車速が大きいときにも異常状態をより早く検知し、操舵補助を停止することを目的として電動パワーステアリング装置が開示されている。この電動パワーステアリング装置は、電流目標値と操舵トルクとの対応関係を示すアシストマップを備え、このアシストマップを参照し電流目標値を出力する。そして、電動パワーステアリング装置は、操舵補助を停止するための条件を所定の駆動禁止領域として含む駆動禁止マップを備え、この駆動禁止マップを参照して操舵補助を停止するか否かを判定する。そして、この電動パワーステアリング装置は、車速が大きくかつモータ電流の検出値が小さいときにのみ、比較的広い駆動禁止領域を含む駆動禁止マップを選択し、電流目標値と操舵トルクとが選択された駆動禁止マップに示される条件に合致する場合にはモータを停止させる。
【先行技術文献】
【特許文献】
【０００９】
【特許文献１】特開２００９−１３２３４４号公報
【特許文献２】特開２００２−０５９８５５号公報
【特許文献３】特開２００８−２３８８４３号公報
【特許文献４】特開２００６−０５１９１２号公報
【発明の概要】
【発明が解決しようとする課題】
【００１０】
ところで、特許文献１に開示されているように、トルクセンサの出力にローパスフィルタ処理を施すことが知られている。これによりトルクセンサの出力から高周波成分が除去され、モータに流れる電流の高周波成分も軽減される。よってハンドルからの振動も軽減され、運転の快適性が向上される。
【００１１】
しかし、ローパスフィルタ処理の演算時間が必要となることで、以下の弊害が生じうる。例えば、運転者がハンドルを右方向から左方向に急に切り替えた場合、ローパスフィルタ処理の演算に必要となる時間が経過するまで、モータは右旋回を支援する方向に回転する。一方、実際のハンドルは運転者によって左に回転されているため、短時間であるがモータの回転方向とハンドルの回転方向が逆になる。こうなると、ＣＰＵは、操舵トルクに基づいて指令電流を演算する過程で異常が発生したと判定し、モータの駆動を止める。そのため、運転者は急に電動パワーステアリングの操舵支援を受けられなくなり、違和感を生じてしまう。
【００１２】
このような状況は、車速が低い状態で比較的起こりやすい。例えば、車庫入れや縦列駐車ではハンドルを左右に素早く切ることがあるため、操舵トルクと指令電流が異常な状態になりやすく、モータの回転方向とハンドルの回転方向とが短時間ではあるが逆になる回数も増えやすい。このモータの回転方向とハンドルの回転方向とが逆になる場合は、ハンドルを回転するために通常よりも強い力が必要となる。しかし、車速が低いのでこのことによる事故は起こりにくい。また、仮に本当にＣＰＵに一時的な異常が起こっていたとしても、車速が低いので事故は起こりにくい。従って、車速が低い場合では、操舵トルクと指令電流の関係が異常な状態でもすぐにモータの駆動を止めない方が、運転の快適性という観点で好ましい。
【００１３】
一方、車速が高い場合はその逆であり、ハンドルを素早く切る機会は少なく、操舵トルクと指令電流が異常な状態になりにくい。そのため、操舵トルクと指令電流が異常な状態になった場合には、直ぐにモータの駆動を止めることが好ましい。また、本当にＣＰＵに異常が起こっていた場合にも、直ぐにモータの駆動を止めた方が安全性の観点で好ましい。
【００１４】
以上のことを鑑みて、本発明では、運転の快適性と安全性の両面を備えたステアリング制御装置を提供する。
【課題を解決するための手段】
【００１５】
上記課題を解決するために、車両に搭載された操舵装置の操舵トルクを検出するトルクセンサの出力から高周波成分を除去するフィルタ部と、車両の走行速度とフィルタ部の出力に基づいて、電流指令値を出力する電流指令部と、電流指令値に基づき、操舵装置の操舵を補助するモータの駆動を制御する駆動制御部と、トルクセンサの出力、電流指令値、および車両の走行速度に基づき、モータの駆動を禁止する信号を駆動制御部に出力する駆動禁止部と、を有するステアリング制御装置において、駆動禁止部は、トルクセンサの出力と電流指令値の関係が異常であるか否かを判定する異常判定部と、車両の走行速度に基づいて猶予時間を選択する猶予時間選択部と、異常判定部と猶予時間選択部の出力に基づき、モータの駆動を禁止する信号を駆動制御部に出力する禁止信号出力部と、を有し、禁止信号出力部は、異常判定部の判定結果が異常となる時間が猶予時間選択部によって選択された猶予時間を越えた場合に駆動制御部に電動モータの駆動を禁止する信号を出力する、ことを特徴とするステアリング制御装置が提供される。
これによれば、運転の快適性と安全性の両面を備えたステアリング制御装置を提供することができる。
【００１６】
さらに、猶予時間選択部は、車両の走行速度が所定値以上の場合、短い猶予時間を選択することを特徴としてもよい。
これによれば、運転の安全性をより強化したステアリング制御装置を提供することができる。
【００１７】
また、上記課題を解決するために、車両に搭載された操舵装置の操舵トルクを検出するトルクセンサの出力から高周波成分を除去するフィルタ部と、車両の走行速度とフィルタ部の出力に基づいて、電流指令値を出力する電流指令部と、電流指令値に基づき、操舵装置の操舵を補助するモータの駆動を制御する駆動制御部と、トルクセンサの出力、電流指令値、および操舵装置の角速度に基づき、モータの駆動を禁止する信号を駆動制御部に出力する駆動禁止部と、を有するステアリング制御装置において、駆動禁止部は、トルクセンサの出力と電流指令値の関係が異常であるか否かを判定する異常判定部と、操舵装置の角速度に基づいて猶予時間を選択する猶予時間選択部と、異常判定部と猶予時間選択部の出力に基づき、モータの駆動を禁止する信号を駆動制御部に出力する禁止信号出力部と、を有し、禁止信号出力部は、異常判定部の判定結果が異常となる時間が猶予時間選択部によって選択された猶予時間を越えた場合に駆動制御部に電動モータの駆動を禁止する信号を出力する、ことを特徴とするステアリング制御装置が提供される。
これによれば、運転の快適性と安全性の両面を備えたステアリング制御装置を提供することができる。
【発明の効果】
【００１８】
以上説明したように、本発明によれば、運転の快適性と安全性の両面を備えたステアリング制御装置を提供することができる。
【図面の簡単な説明】
【００１９】
【図１】本発明に係る第一実施例のステアリング制御装置を示すブロック図。
【図２】本発明に係る第一実施例のステアリング制御装置おける制御ステップを示すフローチャート。
【図３】本発明に係る第一実施例のステアリング制御装置における判定マップ。
【図４】本発明に係る第二実施例のステアリング制御装置を示すブロック図。
【図５】本発明に係る第二実施例のステアリング制御装置おける制御ステップを示すフローチャート。
【発明を実施するための形態】
【００２０】
以下では、図面を参照しながら、本発明に係る各実施例について説明する。
＜第一実施例＞
図１は、本実施例におけるステアリング制御装置１のブロック図である。ステアリング制御装置１は、車の運転者による操舵装置２に与えられる操舵トルクを検出するトルクセンサ１０から操舵トルクの情報を得、車の走行スピードを検出し出力する車速情報出力部３から車速の情報を得る。そして、ステアリング制御装置１は、トルクセンサ１０および車速情報出力部３からの情報に基づいて、運転者による操舵トルクに対する操舵支援を与えるために、操舵装置２を駆動するモータの電流を制御する。
【００２１】
ステアリング制御装置１は、電流指令部２０と、駆動制御部３０と、フィルタ部５０と、駆動禁止部６０とを備える。フィルタ部５０は、トルクセンサ１０の出力から高周波成分を除去し低周波成分のみを通過させる所定の定数を有するローパスフィルタである。これにより、ハンドルから運転者へ伝わる振動が軽減され、運転の快適性が向上される。フィルタ部５０を通過した操舵トルクの情報は、電流指令部２０に対して出力される。
【００２２】
電流指令部２０は、車速両情報出力部３が出力した車の走行速度と、フィルタ部５０が出力した操舵トルクに基づいて、電流指令値を算出し、出力する。電流指令部２０による電流指令値の算出方法は、様々な方法が考えられる。例えば、電流指令部２０は、走行速度と操舵トルクに対応したトルク補助力を駆動できる電流値を保持し、走行速度を車速情報出力部３から、操舵トルクをフィルタ部５０から取得した時に、これらに対応した電流値を指令値として出力してもよい。電流指令部２０が出力した電流指令値は、駆動制御部３０と駆動禁止部６０に対して出力される。
【００２３】
駆動制御部３０は、電流指令値に基づき、操舵装置２の操舵を補助するモータの駆動を制御する。即ち、駆動制御部３０は、電流指令値により、操舵装置２のステアリングの操舵を補助するモータを駆動し、運転者に対して操舵支援を行う。
【００２４】
駆動禁止部６０は、トルクセンサ１０が出力した操舵トルク、電流指令部２０が出力した電流指令値、および、車速情報出力部３が出力した走行速度に基づき、モータの駆動を禁止する信号を駆動制御部３０に出力することにより、駆動制御部３０を制御する。駆動禁止部６０は、猶予時間選択部６１と、異常判定部６２と、禁止信号出力部６３とを有する。
【００２５】
猶予時間選択部６１は、車速情報出力部３が出力した車両の走行速度に基づいて、猶予時間を選択する。また、異常判定部６２は、トルクセンサ１０の出力である操舵トルクと電流指令部２０が出力した電流指令値の関係が異常であるか否かを判定する。猶予時間の選択方法と異常か否かの判定方法は後述する。
【００２６】
禁止信号出力部６３は、異常判定部６２と猶予時間選択部６１の出力に基づき、操舵装置２を駆動するモータの駆動を禁止する信号を駆動制御部３０に出力する。より具体的には、禁止信号出力部６３は、異常判定部６２の判定結果が異常となる時間が猶予時間選択部６１によって選択された猶予時間を越えた場合に駆動制御部３０に電動モータの駆動を禁止する信号を出力する。
【００２７】
図２を参照し、より詳細に駆動禁止部６０の機能について説明する。まず、各種センサは、Ｓ１００において入力値を読み込む。具体的には、車両に備えられた車速情報出力部３が車両の走行速度を、トルクセンサ１０が操舵装置２の操舵トルクを読み込む。次に、フィルタ部５０は、Ｓ１０２において、読み込んだ操舵トルクの情報から高周波成分を除去するフィルタ処理を行う。そして、電流指令部２０は、Ｓ１０４において、車速情報出力部３が出力した車の走行速度と、フィルタ部５０が出力した操舵トルクに基づいて、電流指令値を算出する。
【００２８】
次に、駆動禁止判定が、Ｓ１０６において行われる。この駆動禁止判定の詳細は、Ｓ１５０〜Ｓ１６８に説明されている。まず駆動禁止判定では、猶予時間選択部６１は、Ｓ１５０において、車速情報出力部３から走行速度を読み込む。次に、猶予時間選択部６１は、Ｓ１５２において、その走行速度が所定値以上か否かを判断する。この所定値は、運転者がハンドルを通して操舵装置２を左や右へ大きく切ることがある走行速度として規定され、例えば、０〜５Ｋｍ／時の値である。
【００２９】
猶予時間選択部６１は、走行速度が所定値以上である場合、Ｓ１５４において第一猶予時間を選択し、所定値未満である場合、Ｓ１５６において第二猶予時間を選択する。なお、第一猶予時間は、第二猶予時間より短く設定される。即ち、猶予時間選択部６１は、走行速度が所定値以上の場合は猶予時間を短く設定し、走行速度が所定値未満の場合は猶予時間を長く設定する。これによれば、運転の安全性をより強化したステアリング制御装置を提供することができる。
【００３０】
次に、異常判定部６２は、Ｓ１５８においてトルクセンサ１０が出力した操舵トルクを読み込み、Ｓ１６０において電流指令部２０が出力した電流指令値を読み込む。そして、異常判定部６２は、Ｓ１６２において、読み込んだ操舵トルクと電流指令値が駆動禁止判定値の領域内か否かを判定する。
【００３１】
ここで、図３に示す判定マップを参照し、駆動禁止判定値の領域内か否か判定する方法について説明する。この判定マップは、操舵支援を禁止するための条件である駆動禁止条件を操舵トルクと電流指令値との関係として示すテーブルである。この判定マップの中で、駆動禁止判定領域として示される領域は、操舵トルクに対して望ましくない電流指令値であることを示す領域である。即ち、駆動禁止判定領域は、操舵支援を行うに当たりイナーシャ制御などの様々な制御を行うが、それらを考慮してもハンドルを素早く大きく切らなければ入る可能性の低い領域として設定される。具体的には、駆動禁止判定領域は、操舵トルクの絶対値が所定の値以上および／または電流指令値の絶対値が所定の値以上の領域である。
【００３２】
また、この判定マップには、操舵トルクと電流指令値との関係を、走行速度（車速）をパラメータとして示すテーブルも記載されている。走行速度が小さいほど、またフィルタ部５０の出力の絶対値が大きいほど電流指令値の絶対値が大きくなるように設定される。これにより、車が遅いほど、またハンドルが重いときほど、電流指令値が大きくなるため操舵を支援する力が大きくなり、運転者は操舵操作が容易になる。なお、フィルタ部５０の出力の絶対値が操舵支援を必要としない程度の小さな値であるとき、対応する電流指令値はゼロである。また、操舵トルクの絶対値が所定以上の値になると、電流指令値は比例して増加せず一定の値となるので、あまり大きな操舵支援を行わないようになる。なお、これらのテーブルは所定の記憶領域に予め保持されている。
【００３３】
異常判定部６２は、Ｓ１６２において操舵トルクと電流指令値が上記の判定マップに示す駆動禁止判定領域内にあると判定した場合、Ｓ１６４において、さらにＳ１５４またはＳ１５６で選択した猶予時間が、駆動禁止判定領域内に入ってから経過したか否かを判断する。そして、異常判定部６２が猶予時間を経過していると判断した場合、禁止信号出力部６３は、Ｓ１６８において、駆動制御部３０に対して駆動禁止命令を発する。即ち、駆動禁止部６０の禁止信号出力部６３が、異常判定部６２の判定結果が異常となる時間が猶予時間選択部６１によって選択された猶予時間を越えた場合にモータの駆動を禁止する。
【００３４】
一方、異常判定部６２は、Ｓ１６２において操舵トルクと電流指令値が上記の判定マップに示す駆動禁止判定領域内にないと判定した場合、Ｓ１６６において、駆動禁止判定領域内に入ってからの経過時間のカウントをリセットする。運転者は、ステアリング制御装置１により走行速度に応じた適切な操舵支援を受けられる。
【００３５】
また、異常判定部６２は、Ｓ１６４においてＳ１５４またはＳ１５６で選択した猶予時間が駆動禁止判定領域内に入ってから経過していないと判断した場合、駆動禁止命令は発しない。そして、異常判定部６２が計時を継続しながら、処理が進む。
【００３６】
上述したＳ１５０〜Ｓ１６８即ちＳ１０６の駆動禁止判定が行われた後、Ｓ１０８において、駆動禁止の命令が発せられたか否かをチェックする。禁止信号出力部６３が駆動禁止命令を発しなかった場合は、駆動制御部３０は、Ｓ１１０において、操舵装置２を駆動するモータを駆動する。駆動禁止命令を発した場合は、駆動制御部３０は、モータの駆動を止める。その後、制御は呼び出し側にＲＥＴＵＲＮされる。こうすることにより、操舵トルクの大きさと方向および電流指令値の大きさと方向との関係が駆動禁止判定領域内にあっても、走行速度に応じた猶予時間を設けることで走行速度に応じた異常判定を行うことができる。その結果、走行速度に応じた運転の快適性と安全性の両面を備えたステアリング制御装置１を提供することができる。
【００３７】
従来技術では、トルクセンサの出力にローパスフィルタ処理を施すことが知られている。これによりトルクセンサの出力から高周波成分が除去され、モータに流れる電流の高周波成分も軽減される。よってハンドルからの振動も軽減され、運転の快適性が向上される。
【００３８】
しかし、ローパスフィルタ処理の演算時間が必要となることで、以下の弊害が生じうる。例えば、運転者がハンドルを右方向から左方向に急に切り替えた場合、ローパスフィルタ処理の演算に必要となる時間が経過するまで、モータは右旋回を支援する方向に回転する。一方、実際のハンドルはユーザによって左に回転されているため、短時間であるがモータの回転方向とハンドルの回転方向が逆になる。こうなると、ＣＰＵは、操舵トルクに基づいて指令電流を演算する過程で異常が発生したと判定し、モータの駆動を止める。そのため、運転者は急に電動パワーステアリングの操舵支援を受けられなくなり、違和感を生じてしまう。
【００３９】
このような状況は、車速が低い状態で比較的起こりやすい。例えば、車庫入れや縦列駐車ではハンドルを左右に素早く切ることがあるため、操舵トルクと指令電流が異常な状態になりやすく、モータの回転方向とハンドルの回転方向とが短時間ではあるが逆になる回数も増えやすい。このモータの回転方向とハンドルの回転方向とが逆になる場合は、ハンドルを回転するために通常よりも強い力が必要となる。しかし、車速が低いのでこのことによる事故は起こりにくい。また、仮に本当にＣＰＵに一時的な異常が起こっていたとしても、車速が低いので事故は起こりにくい。従って、車速が低い場合では、操舵トルクと指令電流の関係が異常な状態でもすぐにモータの駆動を止めない方が、運転の快適性という観点で好ましい。
【００４０】
一方、車速が高い場合はその逆であり、ハンドルを素早く切る機会は少なく、操舵トルクと指令電流が異常な状態になりにくい。そのため、操舵トルクと指令電流が異常な状態になった場合には、直ぐにモータの駆動を止めることが好ましい。また、本当にＣＰＵに異常が起こっていた場合にも、直ぐにモータの駆動を止めた方が安全性の観点で好ましい。
【００４１】
＜第二実施例＞
図４は、本実施例におけるステアリング制御装置１ａを示すブロック図である。なお、重複記載を避けるため第一実施例と異なる部分を中心に記載する。第一実施例では、猶予時間選択部６１に入力されるのは、車速情報出力部３ａから出力される車の走行速度であったが、本実施例では、舵角微分部７０ａから出力される角速度である。
【００４２】
本実施例が適用される車両においては、操舵装置２ａに対するトルクセンサ１０ａに加えて、さらにハンドルの回転角度を検出する舵角センサ４０ａが備えられる。舵角微分部７０ａは、その舵角センサ４０ａが検出したハンドル回転角度の速度を得るために微分値を算出し、ハンドルの角速度（回転する舵角速度）を出力する。猶予時間選択部６１ａは、この角速度に基づいて、猶予時間を選択する。これ以外の構成要素は、第一実施例と同じである。
【００４３】
図５は、本実施例のステアリング制御装置１ａおける制御ステップを示すフローチャートであるが、図４の説明と同様、重複記載を避けるため第一実施例と異なる部分を中心に記載する。第一実施例では、Ｓ１５０において車速を読み込み、Ｓ１５２において車の走行速度が所定値以上か否かを判断したが、本実施においては、Ｓ２５０においてハンドルの角速度（回転する舵角速度）を読み込み、Ｓ２５２においてその角速度が所定値以上か否かを判断する。これ以外のステップは、第一実施例と同じである。
【００４４】
この所定値は、運転者がハンドルを通して操舵装置２を左や右へ大きく切ることがある角速度として規定され、例えば、６〜２０ラジアン／秒の値である。これによれば、運転の快適性と安全性の両面を備えたステアリング制御装置１ａを提供することができる。
【００４５】
なお、本発明は、例示した実施例に限定するものではなく、特許請求の範囲の各項に記載された内容から逸脱しない範囲の構成による実施が可能である。
【符号の説明】
【００４６】
１      ステアリング制御装置
２      操舵装置
３      車速情報出力部
１０    トルクセンサ
２０    電流指令部
３０    駆動制御部
４０    舵角センサ
５０    フィルタ部
６０    駆動禁止部
６１    猶予時間選択部
６２    異常判定部
６３    禁止信号出力部
７０    舵角微分部
【図１】
2014136525.tif 000003
【図２】
2014136525.tif 000004
【図３】
2014136525.tif 000005
【図４】
2014136525.tif 000006
【図５】
2014136525.tif 000007